(57)【要約】【課題】詰め替え用洗剤液を注入時に漏れ出ることなく、全量を確実に洗剤容器内に補充できる詰め替え用補助具を提供することを課題とする。【解決手段】詰め替え用洗剤液を洗剤容器の容器本体に注入するときに前記洗剤容器の容器本体の口首部の上端開口部に差し込む詰め替え用補助具であって、上端の外径を前記上端開口部の直径より大きく下端の外径を前記上端開口部の直径より小さくし、前記詰め替え用洗剤液を流動可能な空洞を有する中空筒状体と、前記中空筒状体の空洞内の少なくとも１か所に配設した、前記詰め替え用洗剤液を通過させる液通過用網状体と、を備える詰め替え用補助具により課題解決できた。【選択図】  図１
2017222373.tif 000002
【特許請求の範囲】
【請求項１】
詰め替え用洗剤液を洗剤容器の容器本体に注入するときに前記洗剤容器の容器本体の口首部の上端開口部に差し込む詰め替え用補助具であって、
上端の外径を前記上端開口部の直径より大きく下端の外径を前記上端開口部の直径より小さくし、前記詰め替え用洗剤液を流動可能な空洞を有する中空筒状体と、
前記中空筒状体の空洞内の少なくとも１か所に配設した、前記詰め替え用洗剤液を通過させる液通過用網状体と、を備えることを特徴とする詰め替え用補助具。
【請求項２】
前記液通過用網状体の縦断面形状が、凹み形状、Ｕ字形状又は略平板状であることを特徴とする請求項１に記載の詰め替え用補助具。
【請求項３】
前記液通過用網状体の配設位置が、前記中空筒状体の上部、あるいは、上部及び下部であることを特徴とする請求項１又は２に記載の詰め替え用補助具。
【発明の詳細な説明】
【技術分野】
【０００１】
本発明は、洗剤容器内にお風呂用洗剤、トイレ用洗剤、食器用洗剤などの洗剤液の残量が少なくなったときに、詰め替え用の洗剤液を補充として注入するときに前記詰め替え用洗剤液が漏れ出ないようにする詰め替え用補助具に関する。
【背景技術】
【０００２】
お風呂用洗剤、トイレ用洗剤、食器用洗剤などの液状の洗剤を収容した洗剤容器内の前記洗剤の残量が減少したときには、別途詰め替え用洗剤液入り袋体をもってきて前記詰め替え用洗剤液入り袋体の端部を切って開口部を作り、前記袋体を傾けて開口部から前記洗剤容器の上端の開口部に向けて詰め替え用洗剤液を注入する。そのときに、前記洗剤容器の上端の開口部の内径が一般的に約２０ｍｍであり、前記詰め替え用洗剤液が粘性を有することから、注入時に前記洗剤容器の上端の開口部を覆うように泡による膜が形成されて開口部が塞がれ、注入中の詰め替え用洗剤液が前記膜の上面を滑って漏れ出るという問題があった。
【０００３】
この注入中に詰め替え用洗剤液が漏れ出ることの対応として、例えば、特許文献１には、底面を漏斗状に底上げしてなる漏斗状部と、該漏斗状部の最も凹んだ領域に設けられた注入口と、該注入口の蓋となる蓋部材とを有する詰め替え容器が開示されている。
【０００４】
また、特許文献２には、洗剤の詰め替えを容易にする容器であって、容器の底部に締結手段として、スクリューキャップ式の雌ネジ蓋を採用したことによって、内容物が漏れ出ることを防止した詰め替え容器が開示されている。
【先行技術文献】
【特許文献】
【０００５】
【特許文献１】特開２００５−３４３５４７号公報
【特許文献２】特開２０１５−１９９５３７号公報
【発明の概要】
【発明が解決しようとする課題】
【０００６】
特許文献１の発明は、詰め替え用洗剤液を注入するときには洗剤容器を上下逆さまにして洗剤容器の底面を上にした状態を維持しなければならず、片手で常時洗剤容器を持ち、一方の手で詰め替え用洗剤液が収容されている可撓性を有する袋体を持ってかつ詰め替え用洗剤液が洗剤容器の開口部に向けて注ぐように傾けて維持しなければならない。しかも、可撓性を有する袋体内の詰め替え用洗剤液の残量が減少してきたら詰め替え用洗剤液の流出状況が変化するので、前記減少状況に応じて洗剤容器を手から離して一端置いて、可撓性を有する袋体を持つ手の位置や向きを持ちかえて、再度洗剤容器を片手で保持するという手順を数回繰り返すという煩わしさがあるという問題があった。
【０００７】
また、可撓性を有する袋体内の詰め替え用洗剤液が減少してきたときの手の持ち方を変えるのが遅れたら、詰め替え用洗剤液が詰め替え用袋体内から洗剤容器に注ぎ込まれずに洗剤容器外に漏れ出るという問題もあった。
【０００８】
さらに、洗剤容器の底面に設けた開口部を塞ぐ蓋部材のネジをしっかりと締めなければ洗剤容器内の洗剤液が毛細管現象で雄ネジと雌ネジ間の隙間を通過して漏れ出てくるので、前記蓋部材をしっかりと締めることから、前記蓋部材を取り外そうとするときに前記蓋部材が極めて緩みにくくなるという問題があった。
【０００９】
特許文献２の発明も、特許文献１の発明と同じように、片手で注入時は常時洗剤容器を持ち、一方の手で詰め替え用洗剤液が収容されている可撓性を有する袋体を持ってかつ詰め替え用洗剤液が洗剤容器の開口部に向けて注ぐようにしなければならないという煩わしさがあり、スクリューキャップ式の雌ネジ蓋をしっかりと締めると、前記雌ネジ蓋を取り外そうとするときに前記雌ネジ蓋が極めて緩みにくくなるという問題があった。
【００１０】
本発明はこうした問題に鑑み創案されたもので、引用文献１や２の発明はいずれも洗剤容器の底面から詰め替え用洗剤液を注入させる技術であったが、発明者は注入時に口首部の上端開口部に詰め替え用洗剤液の泡による膜の形成を発生させないようにすべく種々のトライを実施し本発明を想到するに至った。詰め替え用洗剤液を注入時に漏れ出ることなく、全量を確実に洗剤容器内に補充できる詰め替え用補助具を提供することを課題とする。
【課題を解決するための手段】
【００１１】
請求項１に記載の詰め替え用補助具１は、詰め替え用洗剤液８を洗剤容器２の容器本体３に注入するときに前記洗剤容器２の容器本体３の口首部６の上端開口部７に差し込む詰め替え用補助具１であって、上端Ｕの外径を前記上端開口部７の直径より大きく下端Ｓの外径を前記上端開口部７の直径より小さくし、前記詰め替え用洗剤液８を流動可能な空洞３０を有する中空筒状体４と、前記中空筒状体４の空洞３０内の少なくとも１か所に配設した、前記詰め替え用洗剤液８を通過させる液通過用網状体５と、を備えることを特徴とする。
【００１２】
請求項２に記載の詰め替え用補助具１は、請求項１において、前記液通過用網状体５の縦断面形状が、凹み形状、Ｕ字形状又は略平板状であることを特徴とする。
【００１３】
請求項３に記載の詰め替え用補助具１は、請求項１又は２において、前記液通過用網状体５の配設位置が、前記中空筒状体４の上部、あるいは、上部及び下部であることを特徴とする。
【発明の効果】
【００１４】
請求項１に記載の詰め替え用補助具１は、注入時に洗剤容器２の上端開口部７に泡による膜２０を形成させないという効果を奏し、これにより注入時に詰め替え用洗剤８が漏れ出ないという効果を奏する。
【００１５】
また、洗剤容器２を平らな面に載置した状態で、詰め替え用洗剤液８を収容した詰め替え用の可撓性を有する袋体１１を両手で制御できるため、容易に注入作業ができるという効果を奏する。
【００１６】
さらに、詰め替え用補助具１は、詰め替え用洗剤液８を補充完了した後に抜き取り可能であるので、単一の詰め替え用補助具１で異なる洗剤容器の補充に使用できるという効果を奏する。
【００１７】
請求項２に記載の詰め替え用補助具１は、詰め替え用洗剤液８を注入する速度などの詰め替え用洗剤液８の注入条件が異なっても、洗剤容器２の中空筒状体４の内径の大きさが異なっても、液通過用網状体５の形態を選択することにより泡の発生を防ぎ膜２０の形成を防ぐことができるという効果を奏する。
【００１８】
請求項３に記載の詰め替え用補助具１は、詰め替え用洗剤液８を注入する速度などの詰め替え用洗剤液８の注入条件が異なっても、液通過用網状体５の設置数や設置部位を選択することにより泡の発生を防ぎ膜２０の形成を防ぐことができるという効果を奏する。
【図面の簡単な説明】
【００１９】
【図１】本発明の詰め替え用補助具の縦断面図である。
【図２】本発明の詰め替え用補助具の正面図であり、（ａ）は周壁の下端形状が直線状のものを示す図であり、（ｂ）は周壁の下端形状が山谷状のものを示す図である。
【図３】本発明の詰め替え用補助具の縦断面図の例であり、（ａ）は網状体が凹状の形態を示す図であり、（ｂ）は網状体がＵ字状の形態を示す図であり、（ｃ）は網状体が略平板状の形態を示す図である。
【図４】本発明の詰め替え用補助具の平面図である。
【図５】洗剤容器の正面図である。
【図６】洗剤容器の容器本体の正面図（上部は断面図）である。
【図７】詰め替え用補助具を容器本体の口首部に差し込んだ状態を示す説明図である。
【図８】本発明の詰め替え用補助具を使用して詰め替え用洗剤の液体を注入する状態を説明する説明図である。
【図９】一般的に実施されている詰め替え用洗剤の液体を注入する状態を説明する説明図である。
【図１０】図９におけるＡ部の拡大図である。
【発明を実施するための形態】
【００２０】
一般的に、詰め替え用洗剤液８を注入する状態は図９に示すようにして実施される。詰め替え用洗剤液８を収容した袋体１１は、可撓性を有する袋体１１によって形成されているので、前記袋体１１を傾けて注入をする詰め替え作業中に前記詰め替え用洗剤液８の量の減少によって袋体１１が変形しやすく、不安定な状態になりやすい。そして、詰め替え用洗剤液８の残量が少なくなるとその残量をすべて押し出すように前記袋体１１を絞ることも実施されている。前記押し出す作業は片手ではできない。
【００２１】
さらに、図９又は図１０に示すように、詰め替え用洗剤液８を容器本体３に注入するときに前記容器本体３の口首部６の上端開口部７には詰め替え用洗剤液８の泡による膜２０が形成され、詰め替え用洗剤液８が前記泡により形成された膜２０の上面を滑って漏れ出るという事態が発生していた。
【００２２】
本発明の詰め替え用補助具は、図１乃至図４、図６乃至図８に示すように、詰め替え用洗剤液８を洗剤容器２の容器本体３に注入するときに前記容器本体３の口首部６の上端開口部７に差し込む詰め替え用補助具１であって、上端Ｕの外径を前記上端開口部７の直径より大きく下端Ｓの外径を前記上端開口部７の直径より小さくし、前記詰め替え用洗剤液８を流動可能な空洞３０を有する中空筒状体４と、前記中空筒状体４の空洞３０内の少なくとも１か所に配設した、前記詰め替え用洗剤液８を通過させる液通過用網状体５と、を備える。
【００２３】
本発明の詰め替え用補助具１が使用される詰め替え用洗剤液８は、お風呂用洗剤、トイレ用洗剤、食器用洗剤などの詰め替え用洗剤液である。
【００２４】
洗剤容器２は、例えば図５に示すように、容器本体３及び噴出部付蓋体１０を備えている。そして、噴出部付蓋体１０を螺子部を緩めて取り外した後の形態が容器本体３であり、その容器本体３は例として図６に示すように、上端開口部７から詰め替え用洗剤液８を注入するときの通路となるとともに容器本体３に収容した洗剤液を噴出させるときの通路となる口首部６を有している。
【００２５】
前記中空筒状体４は、上端Ｕの外径を前記上端開口部７の直径より大きく下端Ｓの外径を前記上端開口部７の直径より小さくして形成している。これにより、詰め替え用補助具１を前記容器本体３の口首部６の上端開口部７に差し込んだ場合に前記詰め替え用補助具１を前記口首部６に確実に配設させることができる。そして、前記中空筒状体４は、内部が前記詰め替え用洗剤液８を流動可能な空洞３０を形成している。これにより、詰め替え用洗剤液８を円滑に流動させることができる。
【００２６】
また、前記中空筒状体４は、図２（ａ）又は（ｂ）に示すように、側面視で略台形状で下端Ｓの形状が線状であったり、山谷状であったり、凹凸状であったりしても、内部に空洞３０を有する筒状体であればよい。
【００２７】
次に、液通過用網状体５は、平面視で図４に示すように網目を形成し、側面視の断面では図３に示すように前記中空筒状体４の上部の１か所に配設されたり、図１に示すように前記中空筒状体４の上部及び下部の２ケ所に配設されたりしてもよい。１か所に配設した場合も泡による膜２０形成ができないが、２か所に配設した場合は泡による膜２０の形成が例えば中空筒状体４の内径が小さい場合であってもできないという効果を奏する。
【００２８】
また、前記液通過用網状体５の形態は、側面視の断面では図３（ａ）に示すように凹み形状、（ｂ）に示すようにＵ字形状、又は、（ｃ）に示すように略平板状でよく、中空筒状体４内で注入する詰め替え用洗剤液８すべてを通過させるように設けられる形態であればよい。
【００２９】
また、前記液通過用網状体５の材質は、ステンレス、銅又は真鍮などの金属、あるいは、ナイロン、ポリエステル又はテフロン（登録商標）等の樹脂でもよく、網の目の隙間は詰め替え用洗剤液８の粘度により詰め替え用洗剤液８の泡による膜２０が形成されるのを防止できる隙間を設定する。例えば前記隙間を約１ｍｍのメッシュを形成するステンレス製の液通過用網状体５を設定する。そして、前記液通過用網状体５の前記中空筒状体４への固定化方法は、前記液通過用網状体５の外周縁と前記中空筒状体４の内壁面とをシリコンや粘土などの接着剤で接着させる方法などがあり、前記液通過用網状体５を前記中空筒状体４に固定化する方法であればいずれの方法でもよい。
【００３０】
次に、本発明の詰め替え用補助具１を使用しない一般的な方法を説明する。例えば図５に示すような洗剤容器２の噴出部付蓋体１０を外す。そして、図９に示すように、詰め替え用洗剤液８を収容した袋体１１を傾けて詰め替え用洗剤液８を容器本体３の口首部６の上端開口部７に注入する。この場合は図９や図１０に示すように前記上端開口部７に詰め替え用洗剤液８の泡による膜２０が形成され、詰め替え用洗剤液８が前記膜２０の上面を滑って容器本体３内に収容されず漏れ出る。
【００３１】
次に、本発明の詰め替え用補助具１の使用方法を説明する。例えば図５に示すような洗剤容器２の噴出部付蓋体１０を外して、図７に示すように容器本体３の口首部６の上端開口部７に詰め替え用補助具１を差し込む。そして、図８に示すように、詰め替え用洗剤液８を収容した袋体１１を傾けて詰め替え用洗剤液８を詰め替え用補助具１の上端開口部９に注入する。これにより、前記詰め替え用補助具１の上端Ｕには膜２０が形成されることがないので詰め替え用洗剤液８が容器本体３内に確実に全量が収容され、漏れ出ることがない。そして補充が完了したら、前記詰め替え用補助具１を上方に引き上げて抜き出す。その後噴出部付蓋体１０を容器本体３に螺着する。抜き出した詰め替え用補助具１は別の詰め替え用洗剤液を補充するときに再使用する。
【符号の説明】
【００３２】
１        詰め替え用補助具
２        洗剤容器
３        容器本体
４        中空筒状体
５        液通過用網状体
６        口首部
７        上端開口部
８        詰め替え用洗剤液
９        上端開口部
１０        噴出部付蓋体
１１        袋体
２０        膜
３０        空洞
Ｓ          下端
Ｕ          上端
【図１】
2017222373.tif 000003
【図２】
2017222373.tif 000004
【図３】
2017222373.tif 000005
【図４】
2017222373.tif 000006
【図５】
2017222373.tif 000007
【図６】
2017222373.tif 000008
【図７】
2017222373.tif 000009
【図８】
2017222373.tif 000010
【図９】
2017222373.tif 000011
【図１０】
2017222373.tif 000012
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
詰め替え用洗剤液を洗剤容器の容器本体に注入するときに前記洗剤容器の容器本体の口首部の上端開口部に差し込む詰め替え用補助具であって、
上端の外径を前記上端開口部の直径より大きく下端の外径を前記上端開口部の直径より小さくし、前記詰め替え用洗剤液を流動可能な空洞を有し、下端縁部形状を山谷状にした中空筒状体と、
前記中空筒状体の空洞内の２か所に、流路を横断させて設けた前記詰め替え用洗剤液を通過させる複数の液通過用網状体と、を備えることを特徴とする詰め替え用補助具。
【請求項２】
前記液通過用網状体の縦断面形状が、凹み形状、Ｕ字形状又は略平板状であることを特徴とする請求項１に記載の詰め替え用補助具。
【手続補正２】
【補正対象書類名】明細書
【補正対象項目名】全文
【補正方法】変更
【補正の内容】
【発明の詳細な説明】
【技術分野】
【０００１】
本発明は、洗剤容器内にお風呂用洗剤、トイレ用洗剤、食器用洗剤などの洗剤液の残量が少なくなったときに、詰め替え用の洗剤液を補充として注入するときに前記詰め替え用洗剤液が漏れ出ないようにする詰め替え用補助具に関する。
【背景技術】
【０００２】
お風呂用洗剤、トイレ用洗剤、食器用洗剤などの液状の洗剤を収容した洗剤容器内の前記洗剤の残量が減少したときには、別途詰め替え用洗剤液入り袋体をもってきて前記詰め替え用洗剤液入り袋体の端部を切って開口部を作り、前記袋体を傾けて開口部から前記洗剤容器の上端の開口部に向けて詰め替え用洗剤液を注入する。そのときに、前記洗剤容器の上端の開口部の内径が一般的に約２０ｍｍであり、前記詰め替え用洗剤液が粘性を有することから、注入時に前記洗剤容器の上端の開口部を覆うように泡による膜が形成されて開口部が塞がれ、注入中の詰め替え用洗剤液が前記膜の上面を滑って漏れ出るという問題があった。
【０００３】
この注入中に詰め替え用洗剤液が漏れ出ることの対応として、例えば、特許文献１には、底面を漏斗状に底上げしてなる漏斗状部と、該漏斗状部の最も凹んだ領域に設けられた注入口と、該注入口の蓋となる蓋部材とを有する詰め替え容器が開示されている。
【０００４】
また、特許文献２には、洗剤の詰め替えを容易にする容器であって、容器の底部に締結手段として、スクリューキャップ式の雌ネジ蓋を採用したことによって、内容物が漏れ出ることを防止した詰め替え容器が開示されている。
【先行技術文献】
【特許文献】
【０００５】
【特許文献１】特開２００５−３４３５４７号公報
【特許文献２】特開２０１５−１９９５３７号公報
【発明の概要】
【発明が解決しようとする課題】
【０００６】
特許文献１の発明は、詰め替え用洗剤液を注入するときには洗剤容器を上下逆さまにして洗剤容器の底面を上にした状態を維持しなければならず、片手で常時洗剤容器を持ち、一方の手で詰め替え用洗剤液が収容されている可撓性を有する袋体を持ってかつ詰め替え用洗剤液が洗剤容器の開口部に向けて注ぐように傾けて維持しなければならない。しかも、可撓性を有する袋体内の詰め替え用洗剤液の残量が減少してきたら詰め替え用洗剤液の流出状況が変化するので、前記減少状況に応じて洗剤容器を手から離して一端置いて、可撓性を有する袋体を持つ手の位置や向きを持ちかえて、再度洗剤容器を片手で保持するという手順を数回繰り返すという煩わしさがあるという問題があった。
【０００７】
また、可撓性を有する袋体内の詰め替え用洗剤液が減少してきたときの手の持ち方を変えるのが遅れたら、詰め替え用洗剤液が詰め替え用袋体内から洗剤容器に注ぎ込まれずに洗剤容器外に漏れ出るという問題もあった。
【０００８】
さらに、洗剤容器の底面に設けた開口部を塞ぐ蓋部材のネジをしっかりと締めなければ洗剤容器内の洗剤液が毛細管現象で雄ネジと雌ネジ間の隙間を通過して漏れ出てくるので、前記蓋部材をしっかりと締めることから、前記蓋部材を取り外そうとするときに前記蓋部材が極めて緩みにくくなるという問題があった。
【０００９】
特許文献２の発明も、特許文献１の発明と同じように、片手で注入時は常時洗剤容器を持ち、一方の手で詰め替え用洗剤液が収容されている可撓性を有する袋体を持ってかつ詰め替え用洗剤液が洗剤容器の開口部に向けて注ぐようにしなければならないという煩わしさがあり、スクリューキャップ式の雌ネジ蓋をしっかりと締めると、前記雌ネジ蓋を取り外そうとするときに前記雌ネジ蓋が極めて緩みにくくなるという問題があった。
【００１０】
本発明はこうした問題に鑑み創案されたもので、引用文献１や２の発明はいずれも洗剤容器の底面から詰め替え用洗剤液を注入させる技術であったが、発明者は注入時に口首部の上端開口部に詰め替え用洗剤液の泡による膜の形成を発生させないようにすべく種々のトライを実施し本発明を想到するに至った。詰め替え用洗剤液を注入時に漏れ出ることなく、全量を確実に洗剤容器内に補充できる詰め替え用補助具を提供することを課題とする。
【課題を解決するための手段】
【００１１】
請求項１に記載の詰め替え用補助具１は、詰め替え用洗剤液８を洗剤容器２の容器本体３に注入するときに前記洗剤容器２の容器本体３の口首部６の上端開口部７に差し込む詰め替え用補助具１であって、上端Ｕの外径を前記上端開口部７の直径より大きく下端Ｓの外径を前記上端開口部７の直径より小さくし、前記詰め替え用洗剤液８を流動可能な空洞３０を有し、下端縁部形状を山谷状にした中空筒状体４と、前記中空筒状体４の空洞３０内の２か所に、流路を横断させて設けた前記詰め替え用洗剤液８を通過させる複数の液通過用網状体５と、を備えることを特徴とする。
【００１２】
請求項２に記載の詰め替え用補助具１は、請求項１において、前記液通過用網状体５の縦断面形状が、凹み形状、Ｕ字形状又は略平板状であることを特徴とする。
【発明の効果】
【００１３】
請求項１に記載の詰め替え用補助具１は、注入時に洗剤容器２の上端開口部７に泡による膜２０を形成させないという効果を奏し、これにより注入時に詰め替え用洗剤８が漏れ出ないという効果を奏する。
【００１４】
また、洗剤容器２を平らな面に載置した状態で、詰め替え用洗剤液８を収容した詰め替え用の可撓性を有する袋体１１を両手で制御できるため、容易に注入作業ができるという効果を奏する。
【００１５】
さらに、詰め替え用補助具１は、詰め替え用洗剤液８を補充完了した後に抜き取り可能であるので、単一の詰め替え用補助具１で異なる洗剤容器の補充に使用できるという効果を奏する。
【００１６】
請求項２に記載の詰め替え用補助具１は、詰め替え用洗剤液８を注入する速度などの詰め替え用洗剤液８の注入条件が異なっても、洗剤容器２の中空筒状体４の内径の大きさが異なっても、液通過用網状体５の形態を選択することにより泡の発生を防ぎ膜２０の形成を防ぐことができるという効果を奏する。
【図面の簡単な説明】
【００１７】
【図１】本発明の詰め替え用補助具の縦断面図である。
【図２】本発明の詰め替え用補助具の正面図であり、（ａ）は周壁の下端形状が直線状のものを示す図であり、（ｂ）は周壁の下端形状が山谷状のものを示す図である。
【図３】本発明の詰め替え用補助具の縦断面図の例であり、（ａ）は網状体が凹状の形態を示す図であり、（ｂ）は網状体がＵ字状の形態を示す図であり、（ｃ）は網状体が略平板状の形態を示す図である。
【図４】本発明の詰め替え用補助具の平面図である。
【図５】洗剤容器の正面図である。
【図６】洗剤容器の容器本体の正面図（上部は断面図）である。
【図７】詰め替え用補助具を容器本体の口首部に差し込んだ状態を示す説明図である。
【図８】本発明の詰め替え用補助具を使用して詰め替え用洗剤の液体を注入する状態を説明する説明図である。
【図９】一般的に実施されている詰め替え用洗剤の液体を注入する状態を説明する説明図である。
【図１０】図９におけるＡ部の拡大図である。
【発明を実施するための形態】
【００１８】
一般的に、詰め替え用洗剤液８を注入する状態は図９に示すようにして実施される。詰め替え用洗剤液８を収容した袋体１１は、可撓性を有する袋体１１によって形成されているので、前記袋体１１を傾けて注入をする詰め替え作業中に前記詰め替え用洗剤液８の量の減少によって袋体１１が変形しやすく、不安定な状態になりやすい。そして、詰め替え用洗剤液８の残量が少なくなるとその残量をすべて押し出すように前記袋体１１を絞ることも実施されている。前記押し出す作業は片手ではできない。
【００１９】
さらに、図９又は図１０に示すように、詰め替え用洗剤液８を容器本体３に注入するときに前記容器本体３の口首部６の上端開口部７には詰め替え用洗剤液８の泡による膜２０が形成され、詰め替え用洗剤液８が前記泡により形成された膜２０の上面を滑って漏れ出るという事態が発生していた。
【００２０】
本発明の詰め替え用補助具は、図１乃至図４、図６乃至図８に示すように、詰め替え用洗剤液８を洗剤容器２の容器本体３に注入するときに前記容器本体３の口首部６の上端開口部７に差し込む詰め替え用補助具１であって、上端Ｕの外径を前記上端開口部７の直径より大きく下端Ｓの外径を前記上端開口部７の直径より小さくし、前記詰め替え用洗剤液８を流動可能な空洞３０を有する中空筒状体４と、前記中空筒状体４の空洞３０内の少なくとも１か所に配設した、前記詰め替え用洗剤液８を通過させる液通過用網状体５と、を備える。
【００２１】
本発明の詰め替え用補助具１が使用される詰め替え用洗剤液８は、お風呂用洗剤、トイレ用洗剤、食器用洗剤などの詰め替え用洗剤液である。
【００２２】
洗剤容器２は、例えば図５に示すように、容器本体３及び噴出部付蓋体１０を備えている。そして、噴出部付蓋体１０を螺子部を緩めて取り外した後の形態が容器本体３であり、その容器本体３は例として図６に示すように、上端開口部７から詰め替え用洗剤液８を注入するときの通路となるとともに容器本体３に収容した洗剤液を噴出させるときの通路となる口首部６を有している。
【００２３】
前記中空筒状体４は、上端Ｕの外径を前記上端開口部７の直径より大きく下端Ｓの外径を前記上端開口部７の直径より小さくして形成している。これにより、詰め替え用補助具１を前記容器本体３の口首部６の上端開口部７に差し込んだ場合に前記詰め替え用補助具１を前記口首部６に確実に配設させることができる。そして、前記中空筒状体４は、内部が前記詰め替え用洗剤液８を流動可能な空洞３０を形成している。これにより、詰め替え用洗剤液８を円滑に流動させることができる。
【００２４】
また、前記中空筒状体４は、図２（ａ）又は（ｂ）に示すように、側面視で略台形状で下端Ｓの形状が線状であったり、山谷状であったり、凹凸状であったりしても、内部に空洞３０を有する筒状体であればよい。
【００２５】
次に、液通過用網状体５は、平面視で図４に示すように網目を形成し、側面視の断面では図３に示すように前記中空筒状体４の上部の１か所に配設されたり、図１に示すように前記中空筒状体４の上部及び下部の２ケ所に配設されたりしてもよい。１か所に配設した場合も泡による膜２０形成ができないが、２か所に配設した場合は泡による膜２０の形成が例えば中空筒状体４の内径が小さい場合であってもできないという効果を奏する。
【００２６】
また、前記液通過用網状体５の形態は、側面視の断面では図３（ａ）に示すように凹み形状、（ｂ）に示すようにＵ字形状、又は、（ｃ）に示すように略平板状でよく、中空筒状体４内で注入する詰め替え用洗剤液８すべてを通過させるように設けられる形態であればよい。
【００２７】
また、前記液通過用網状体５の材質は、ステンレス、銅又は真鍮などの金属、あるいは、ナイロン、ポリエステル又はテフロン（登録商標）等の樹脂でもよく、網の目の隙間は詰め替え用洗剤液８の粘度により詰め替え用洗剤液８の泡による膜２０が形成されるのを防止できる隙間を設定する。例えば前記隙間を約１ｍｍのメッシュを形成するステンレス製の液通過用網状体５を設定する。そして、前記液通過用網状体５の前記中空筒状体４への固定化方法は、前記液通過用網状体５の外周縁と前記中空筒状体４の内壁面とをシリコンや粘土などの接着剤で接着させる方法などがあり、前記液通過用網状体５を前記中空筒状体４に固定化する方法であればいずれの方法でもよい。
【００２８】
次に、本発明の詰め替え用補助具１を使用しない一般的な方法を説明する。例えば図５に示すような洗剤容器２の噴出部付蓋体１０を外す。そして、図９に示すように、詰め替え用洗剤液８を収容した袋体１１を傾けて詰め替え用洗剤液８を容器本体３の口首部６の上端開口部７に注入する。この場合は図９や図１０に示すように前記上端開口部７に詰め替え用洗剤液８の泡による膜２０が形成され、詰め替え用洗剤液８が前記膜２０の上面を滑って容器本体３内に収容されず漏れ出る。
【００２９】
次に、本発明の詰め替え用補助具１の使用方法を説明する。例えば図５に示すような洗剤容器２の噴出部付蓋体１０を外して、図７に示すように容器本体３の口首部６の上端開口部７に詰め替え用補助具１を差し込む。そして、図８に示すように、詰め替え用洗剤液８を収容した袋体１１を傾けて詰め替え用洗剤液８を詰め替え用補助具１の上端開口部９に注入する。これにより、前記詰め替え用補助具１の上端Ｕには膜２０が形成されることがないので詰め替え用洗剤液８が容器本体３内に確実に全量が収容され、漏れ出ることがない。そして補充が完了したら、前記詰め替え用補助具１を上方に引き上げて抜き出す。その後噴出部付蓋体１０を容器本体３に螺着する。抜き出した詰め替え用補助具１は別の詰め替え用洗剤液を補充するときに再使用する。
【符号の説明】
【００３０】
１        詰め替え用補助具
２        洗剤容器
３        容器本体
４        中空筒状体
５        液通過用網状体
６        口首部
７        上端開口部
８        詰め替え用洗剤液
９        上端開口部
１０        噴出部付蓋体
１１        袋体
２０        膜
３０        空洞
Ｓ          下端
Ｕ          上端